(57)【要約】【課題】ＭａｇｓｔａｒフォーマットまたはＬＴＯフォーマットのカートリッジを用いた自動ライブラリ・システムで使用するのに適したカートリッジ・ケースを提供する。【解決手段】カートリッジ・ケースは、Ｍａｇｓｔａｒカートリッジと同じ通常の形状および寸法であるが、両側面を変更して凹面および追加の把持用切欠きを設け、ＭａｇｓｔａｒまたはＬＴＯタイプの自動ピッカでカートリッジを代替使用できるようになされている。このカートリッジの後面の底部の幅を規格のＬＴＯカートリッジの幅と一致するように縮小し、Ｍａｇｓｔａｒフォーマットの位置決め用切欠きの深さを、ＬＴＯ自動ピッカの把持アーム内のフィンガによって係合するのに必要なサイズまで増加することによってＬＴＯの把持用切欠きを設ける。
2005518625.tif 000002
【特許請求の範囲】
【請求項１】
Ｍａｇｓｔａｒフォーマット仕様に準拠する、上面、底面、前面、後面、２つの側面、および前記後面内の傾斜面を有する磁気テープ・カートリッジを備え、
前記２つの側面が凹面を有するように変更され、追加の切欠きが設けられた、ＭａｇｓｔａｒまたはＬＴＯデータ・ストレージ・システムで代替使用可能な兼用磁気テープ・カートリッジ。
【請求項２】
前記追加の切欠きが、Ｍａｇｓｔａｒフォーマットの位置決め用切欠きまたはＬＴＯフォーマットの把持用切欠きあるいはその両方を含み、前記追加の切欠きが両フォーマット・タイプのカートリッジの後面に対して配置されている、請求項１に記載の磁気テープ・カートリッジ。
【請求項３】
前記把持用切欠きが、前記ＬＴＯデータ・ストレージ・システムの把持手段による係合に必要とされるサイズに、Ｍａｇｓｔａｒフォーマットの位置決め用切欠きの深さを増加することによって設けられる、請求項２に記載の磁気テープ・カートリッジ。
【請求項４】
ＭａｇｓｔａｒまたはＬＴＯ自動ピッカ・システムで代替使用するため、両側面の後部が、側面から約１．８ｍｍオフセットされ前記後面から前方に延びる凹面を含み、前記凹面が、深さ少なくとも４．７５ｍｍで、前記底面から少なくとも高さ８．７０ｍｍ延び、前記カートリッジの前記後面から幅約１４ｍｍから約２０ｍｍで約６．００ｍｍ延びる把持用切り欠きをさらに備える、請求項３に記載の磁気テープ・カートリッジ。
【請求項５】
前記傾斜面が前記カートリッジの前記側面まで延びない、請求項４に記載の磁気テープ・カートリッジ。
【請求項６】
前記傾斜面が少なくとも６７ｍｍ延びる、請求項に５記載の磁気テープ・カートリッジ。
【請求項７】
前記後面を前記両側面に連結するベセル付きコーナ面をさらに備える、請求項５に記載の磁気テープ・カートリッジ。
【請求項８】
前記カートリッジの前記左側面と前面の間に位置する開口部内に組み込まれた始端部付きブロック・アセンブリをさらに備える、請求項１に記載の磁気テープ・カートリッジ。
【請求項９】
前記カートリッジの前記左側面と前面の間に位置する開口部内に組み込まれた始端部付きピン・アセンブリをさらに備える請求項１に記載の磁気テープ・カートリッジ。
【請求項１０】
前記カートリッジの左側面と前面の間に位置する開口部内に組み込まれた始端部付きブロック・アセンブリをさらに備える、請求項５に記載の磁気テープ・カートリッジ。
【請求項１１】
前記カートリッジの左側面と前面の間に位置する開口部内に組み込まれた始端部付きピン・アセンブリをさらに備える、請求項５に記載の磁気テープ・カートリッジ。
【請求項１２】
前記カートリッジの左側面と前面の間に位置する開口部内に組み込まれた始端部付きブロック・アセンブリをさらに備える、請求項７に記載の磁気テープ・カートリッジ。
【請求項１３】
前記カートリッジの左側面と前面の間に位置する開口部内に組み込まれた始端部付きピン・アセンブリをさらに備える請求項７に記載の磁気テープ・カートリッジ。
【請求項１４】
前記底面が、駆動機構内の対応する位置決めピンと係合するための第１および第２の位置決め用切り欠き、および前記駆動機構内での前記カートリッジの最初の位置合せのためのＶ形切欠きを含み、
前記第１の位置決め用切欠きが概ね正方形の穴であり、深さが少なくとも５ｍｍ、側部が３．００ｍｍ±０．０８ｍｍであり、前記穴が前記カートリッジの前記前面から２０．５０ｍｍ±０．２０ｍｍに位置する中心を有し、
前記第２の位置決め用切欠きが、深さ少なくとも５ｍｍの概ね楕円形のアパーチャであり、前記カートリッジの前面に平行の大きい方の寸法が少なくとも４．８ｍｍ、小さい方の寸法が３．００ｍｍ±０．０８ｍｍであり、前記アパーチャが、前記カートリッジの前記前面から２０．５０ｍｍ±０．２０ｍｍ、前記第１の位置決め用切欠きの中心から８６．１５ｍｍ±０．２５ｍｍのところに中心を持ち、
前記Ｖ形切欠きは、深さが少なくとも８．９０ｍｍで、前記カートリッジの前記前面から約５．０５ｍｍのところを中心とする最大半径１．５０ｍｍの丸形底部を有し、前記Ｖ形切欠きが、前記丸型底部から前記カートリッジの前記前面に向かって角度６０°±１°で延びる、ＭａｇｓｔａｒまたはＬＴＯロボット・システムで代替使用するための、請求項１に記載の磁気テープ・カートリッジ。
【請求項１５】
前記第１および第２の位置決め用切欠きが、それぞれ前記カートリッジの前記左側面から約１３．２５ｍｍ、前記右側面から約９．６０ｍｍに位置付けられる、請求項１４に記載の磁気テープ・カートリッジ。
【請求項１６】
前記Ｖ形切欠きの前記丸形底部の中心が、前記カートリッジの前記右側面から約１３．８０ｍｍのところにある、請求項１４に記載の磁気テープ・カートリッジ。
【請求項１７】
前記Ｖ形切欠きの前記丸形底部の中心が、前記カートリッジの前記右側面から約１３．８０ｍｍのところにある、請求項１５に記載の磁気テープ・カートリッジ。
【請求項１８】
前記底面が、前記駆動機構内のモータのスピンドルと係合するための窓を持つハブを備え、前記窓が、前記カートリッジの前記前面から約５１．００ｍｍ、前記左側面から約５５．７０ｍｍに位置する中心を有する、請求項１５に記載の磁気テープ・カートリッジ。
【請求項１９】
前記底面が、前記駆動機構内のモータのスピンドルと係合するための窓を持つハブを備え、前記窓が、前記カートリッジの前記前面から約５１．００ｍｍ、前記左側面から約５５．７０ｍｍに位置する中心を有する、請求項１７に記載の磁気テープ・カートリッジ。
【請求項２０】
両側面の後部が、側面から約１．８ｍｍオフセットされ、前記後面から前方に延びる凹面を含み、前記凹面が、深さが少なくとも４．７５ｍｍ、前記底面から少なくとも高さ８．７０ｍｍだけ延び、前記カートリッジの前記後面から幅約１４ｍｍから約２０ｍｍで約６．００ｍｍ延びる把持用切り欠きをさらに備える、請求項１４に記載の磁気テープ・カートリッジ。
【請求項２１】
前記傾斜面が前記カートリッジの前記側面まで延びない、請求項２０に記載の磁気テープ・カートリッジ。
【請求項２２】
前記傾斜面が少なくとも６７ｍｍ延びる、請求項２１に記載の磁気テープ・カートリッジ。
【請求項２３】
前記後面を前記両側面に連結するベゼル付きコーナ面をさらに備える、請求項２１に記載の磁気テープ・カートリッジ。
【請求項２４】
前記カートリッジの前記左側面と前面の間に位置する開口部内に組み込まれた先端部付きブロック・アセンブリをさらに備える、請求項１４に記載の磁気テープ・カートリッジ。
【請求項２５】
前記カートリッジの前記左側面と前面の間に位置する開口部内に組み込まれた先端部付きピン・アセンブリをさらに備える、請求項１４に記載の磁気テープ・カートリッジ。
【請求項２６】
両側面の後部が、側面から約１．８ｍｍオフセットされ、前記後面から前方に延びる凹面を含み、前記凹面が、前記底面から高さ少なくとも８．７０ｍｍ延び、前記カートリッジの前記後面から幅約１４ｍｍから約２０ｍｍで約６．００ｍｍ延びる、深さが少なくとも４．７５ｍｍの把持用切欠きをさらに含む、請求項１９に記載の磁気テープ・カートリッジ。
【請求項２７】
前記傾斜面が前記カートリッジの前記側面まで延びない、請求項２６に記載の磁気テープ・カートリッジ。
【請求項２８】
前記傾斜面が少なくとも６７ｍｍ延びる、請求項２７に記載の磁気テープ・カートリッジ。
【請求項２９】
前記後面を前記両側面に連結するベゼル付きコーナ面をさらに備える、請求項２７に記載の磁気テープ・カートリッジ。
【請求項３０】
前記カートリッジの前記左側面と前面の間に位置する開口部内に組み込まれた先端部付きブロック・アセンブリをさらに備える、請求項２９に記載の磁気テープ・カートリッジ。
【請求項３１】
前記カートリッジの前記左側面と前面の間に位置する開口部内に組み込まれた先端部付きピン・アセンブリをさらに備える、請求項２９に記載の磁気テープ・カートリッジ。
【発明の詳細な説明】
【技術分野】
【０００１】
本発明は、一般に、データ・ストレージ・テープ・カートリッジに関し、特に、ＭａｇｓｔａｒおよびＬＴＯカートリッジ・フォーマットのいくつかの規格機構を組み込んで、両システムの従来の駆動機構、カートリッジ・ローダ、およびライブラリ・セルとの互換性を提供するカートリッジに関する。
【背景技術】
【０００２】
電子データストレージ装置で使用される取外し可能媒体は、磁気テープ・カートリッジの形態をとることが多い。こうしたユニットは可搬性があるため、大量データを別々のカートリッジに格納し、次いで、それを簡単にアクセス可能なライブラリに格納し、または後で使用するために保存することができる。例えば、特定のカートリッジをコンピュータで使用する必要がある場合、手動または自動的に処理するために、ユニットが検索されロードされる。
【０００３】
自動検索は、ライブラリまたは自動カートリッジ・ローダ（ＡＣＬｓ）で行われる。ライブラリは、１つまたは複数の可動の自動ピッカを使用して、カートリッジを記憶セルから検索し、１つまたは複数のＩ／０駆動機構または他のデバイスにロードする。ＡＣＬｓは、カートリッジの可動マガジンおよび固定ロボットを使用して、カートリッジを駆動機構に、また駆動機構から移動させる。
【０００４】
カートリッジをコンピュータの周辺装置、デバイス、またはライブラリ・セル内に移動かつ／またはロードあるいはその両方を行う機構には、カートリッジを保持し、機械への出し入れに案内する把持アームが含まれる。同様に駆動機構には、対向する位置決めおよび把持用切欠き、またはカートリッジのケース内に組み込まれた等価の構造機構によってカートリッジをしっかりつかむ保持機構が含まれる。したがって、市販のカートリッジ・フォーマットは規格化されて、同一の構造、および様々な製造者によって作成されるカートリッジとの操作の互換性が提供されている。
【０００５】
現在、世界中で最も広範に使用されているカートリッジ・フォーマットのうちの２つは、ＭａｇｓｔａｒおよびＬＴＯフォーマットと呼ばれ、それぞれ対応するＥＣＭＡ（European Computer Manufacturers Association）規格によりその詳細が特徴付けられる。各フォーマットは、対応する駆動機構、ピッカ、およびライブラリ・システムの自動機構における同一の規格機構で機能するように適合された構造的属性を規定する。例えば、ＩＢＭ（登録商標）の３５９０１１０カートリッジなど、図１〜３で示した通常のＭａｇｓｔａｒフォーマットのカートリッジ１０は、後面１４の底部にある傾斜面１２、および自動ピッカと自動的に係合するようになされた上面の隆起部１６を特徴とする。図４で示したように、こうした通常の自動ピッカ２０には、２つの平行のばね式把持アーム２２、２４が備えられ、この把持アーム２２、２４は、カートリッジ１０の後面１４に向けて押されると、カートリッジの上面および底面と重なり合うように拡張され、自動処理のためにカートリッジをしっかりと把持する。下部アーム２２内の隆起部２６は、傾斜面１２の下方隆起部と衝合して、カートリッジの把持アーム内への侵入に対する停止部を提供し、上部アーム２４内のリップ２８は、カートリッジの上面１８内にある隆起部１６と係合することによって係止部を提供する。位置決め用切欠き３０は、各側面３２、３４の底部に設けられて、カートリッジ１０が駆動機構（図示せず）内に配置された場合、対応する位置決めピンと係合する。こうした位置決め用切欠きにより、カートリッジが駆動機構内で正確に位置付けられて、カートリッジの底面３８内のハブ３６が、駆動機構内のモータのスピンドルと係合するように適切に位置合せされる。こうした機構の寸法は、全てＥＣＭＡ規格に従って事前決定されている。例えば、傾斜面１２は、カートリッジの底面３８の平面と角度α３０度を形成する。
【０００６】
同様に、ＩＢＭ（登録商標）のＵｌｔｒｉｕｍ／ＬＴＯカートリッジなど、図５〜７で示した通常のＬＴＯフォーマットのカートリッジ４０は、２つの把持用切欠き４２を特徴とする。この把持用切欠き４２は、カートリッジの各側面４４、４６の底部から上方に延び、対応する自動ピッカと自動的に係合するために設けられたものである。図８で示したように、ＬＴＯコンパチブル・ピッカ５０には、２つの垂直のばね式把持アーム５２、５４が備えられ、この把持アーム５２、５４は、カートリッジ４０の後面５６に向けて押されると、カートリッジの側面４４、４６に重なり合うように拡張され、自動化処理のためにカートリッジをしっかりと把持する。各把持アーム５２、５４のフィンガ５８は、カートリッジの対応する側部上の把持用切欠き４２と係合することによって係止部を提供する。位置決め用切欠き６０および６２をカートリッジの底面６４内に設けて、カートリッジ４０をＬＴＯ駆動機構内に配置した場合に、対応する固定位置決めピン（図示せず）と係合するようにする。こうした位置決め用切欠きにより、カートリッジ４０が駆動機構内で正確に位置付けされ、カートリッジの底面６４内のハブ６６が駆動機構内のモータのスピンドルと係合するように位置合せされる。カートリッジ４０の前面７０内のＶ形切欠き６８は、カートリッジを駆動機構内に挿入したときに、固定基準ピンと係合することにより駆動機構内でのカートリッジの最初の位置合せを提供する。やはり、こうした機構の寸法もＥＣＭＡ規格によって全て事前決定される。例えば、各把持用切欠き４２は、深さが少なくとも４．７５ｍｍ、高さが少なくとも８．７０ｍｍであり、幅が６．００ｍｍ±０．２５ｍｍでカートリッジ４０の後面から約１４ｍｍ〜２０ｍｍ延びている。位置決め用切欠き６０は、深さが少なくとも５ｍｍ、側部が３．００ｍｍ±０．０８ｍｍの概ね正方形の穴であり、穴の中心は、カートリッジの前面から２０．５０ｍｍ±０．２０ｍｍ、左側面から１１．４５ｍｍ±０．２０ｍｍにある。位置決め用切欠き６２は、概ね楕円形のアパーチャを画定する少なくとも深さ５ｍｍの穴であり、カートリッジの前面に平行の大きい方の寸法は少なくとも４．８ｍｍ、小さい方の寸法は３．００ｍｍ±０．０８ｍｍであり、穴の中心は、カートリッジの前面から２０．５０ｍｍ±０．２０ｍｍのところにあり、（右側面から７．８０ｍｍに位置する）位置決め用切欠き６０の中心から８６．１５ｍｍ±０．２５ｍｍのところにある。Ｖ形切欠き６８は、深さが少なくとも８．９０ｍｍであり、カートリッジの前面から約５．０５ｍｍに中心が位置する最大半径１．５０ｍｍの丸形底部を有する。この切欠き６８のＶ形側部は、その底部からカートリッジの前面に向けて角度６０°±１°で対称に延びている。
【０００７】
また、各フォーマットは様々な機構を使用して、テープをＩ／０操作用駆動機構に係合させる。例えば、Ｍａｇｓｔａｒフォーマットのカートリッジは、リーダ・ブロックを使用し、ＬＴＯフォーマットはリーダ・ピン（従来技術の図で示していない）を使用する。各フォーマットがこのように異なる仕様であるため、各カートリッジは、他のフォーマットの駆動機構、ロボット、およびライブラリ・システムとの互換性がない。本発明は、ＭａｇｓｔａｒならびにＬＴＯフォーマットのロボットおよびピッカで兼用できるようになされたカートリッジ・ケースのための設計を提供する。
【特許文献１】欧州特許出願第ＥＰ０９２４７０１号
【特許文献２】欧州特許出願第ＥＰ０９２４７０２号
【特許文献３】欧州特許出願第ＥＰ０９２４７０３号
【特許文献４】欧州特許出願第ＥＰ０９２６６７５号
【特許文献５】欧州特許出願第ＥＰ０９２６６７６号
【発明の開示】
【発明が解決しようとする課題】
【０００８】
本発明の主な目的は、ＭａｇｓｔａｒフォーマットまたはＬＴＯフォーマットのカートリッジを用いた自動ライブラリ・システムで使用するのに適したカートリッジ・ケースである。
【０００９】
本発明の他の目的は、リーダ・ブロックまたはリーダ・ピン・アセンブリのいずれを受けるのにも適しており、カートリッジをＭａｇｓｔａｒまたはＬＴＯタイプの駆動機構のいずれでも使用することができるカートリッジ・ケースである。
【００１０】
本発明の他の目的は、ＭａｇｓｔａｒフォーマットまたはＬＴＯフォーマットのカートリッジを用いた自動ライブラリ・システムのストレージにも適した多目的カートリッジ・ケースである。
【課題を解決するための手段】
【００１１】
したがって、上記その他の目的により、本発明は、通常のＭａｇｓｔａｒカートリッジと同じ形状および寸法を持つが、側面を変更して凹面および追加の把持用切欠きを付けて、ＭａｇｓｔａｒまたはＬＴＯタイプの自動ピッカのいずれでもカートリッジを代替使用することができるようにしたカートリッジ・ケースからなる。カートリッジの後面の底部の幅は、規格ＬＴＯカートリッジの幅と一致するように縮小され、Ｍａｇｓｔａｒフォーマットの位置決め用切欠きの深さをＬＴＯ自動ピッカの把持アームのフィンガと係合するのに必要なサイズまで増加することによってＬＴＯ把持用切欠きが設けられている。この変更の結果、本発明のカートリッジをＭａｇｓｔａｒまたはＬＴＯタイプの自動ピッカによって選択的に処理することができる。
【００１２】
本発明の他の態様によれば、カートリッジの底面に、ケースの前面に対して、また任意選択でハブの中心に対してＬＴＯカートリッジの底面にある位置決め用切欠きと同じ位置にある位置決め用切欠きが設けられている。したがって、このカートリッジは、リーダ・ブロックをリーダ・ピン・アセンブリと置き換えることによってＬＴＯ駆動機構技法での使用に適合することができる。さらに、本発明のカートリッジは、従来のＬＴＯライブラリ・ビン内のばね式保持ピンで係合されるようになされた側部の切欠きを特徴とする。したがって、本発明のこの実施形態は、現在のＬＴＯ駆動機構に軽微な変更を加えてあるが、同じ位置付けおよび駆動機構を使用して、ＬＴＯシステムを組み込むのに適している。あるいは、本発明のカートリッジは、既存のＭａｇｓｔａｒシステムで使用するための従来のリーダ・ブロック技法を維持することができる。
【００１３】
本発明の様々な他の目的および利点は、以下の本明細書の説明、および特に頭記の特許請求の範囲で示す新規な特徴から明らかになるであろう。しかし、こうした図面および説明は、本明細書を実施することができる様々な方法の一部だけを開示するものである。
【発明を実施するための最良の形態】
【００１４】
本発明は、従来のＭａｇｓｔａｒカートリッジの構造に軽微な変更を加えて、ＭａｇｓｔａｒならびにＬＴＯの自動ピッカ・システムで兼用できるようにするという認識にある。この進歩は幸いにも、ＭａｇｓｔａｒとＬＴＯの両カートリッジの後面に対して、Ｍａｇｓｔａｒフォーマットの側面の位置決め用切欠き３０とＬＴＯフォーマットの把持用切欠き４２の正確な位置付けによって可能になる。規格品のＭａｇｓｔａｒカートリッジのケースに追加の変更を加えることにより、ＬＴＯライブラリおよびＬＴＯ技法を使用する駆動機構でこのケースを代替使用するのに有利に互換性を持たせることもできる。
【００１５】
本開示において、ＭａｇｓｔａｒフォーマットをＥＣＭＡ−１９６規格の仕様に準拠する磁気テープ・カートリッジ技法として定義し、同様に、ＬＴＯフォーマットをＥＣＭＡ−９９９規格の仕様に準拠する磁気テープ・カートリッジ技法として定義するが、これらは当技術分野で周知のものである。用語、後および前は、全般的に本明細書で記載するカートリッジの構造に関連して用い、それぞれ使用中に、自動ピッカの把持アームに面する側、および駆動機構に面する側を指す。左および右は、カートリッジをその前面から見た場合のカートリッジの側面を指す。用語、底および上はそれぞれ、テープ・リール、および駆動機構の対応する駆動スピンドルと連結するためのハブを備えた各カートリッジの側面に対して、かつカートリッジの平行の対向する側面に対して使用される。用語、高いおよび高さは、カートリッジの底面と上面の間の方向に対して使用される。用語、深いおよび深さは、カートリッジの側部と内部の間の方向に対して使用される。カートリッジの側部にある切欠きに関して使用される場合、用語、広いおよび広さは、カートリッジの関連する側面に平行の寸法を指す。
【００１６】
図面を参照すると、同様の部品は、全体を通して同様の番号および記号で示してある。図９および１０は、本発明による磁気テープ・カートリッジ８０を示す斜視図である。本明細書で記載する変更以外は、カートリッジ８０のケースは、Ｍａｇｓｔａｒカートリッジの国際規格仕様に準拠する。カートリッジの上面８２は、隆起部８６を備えた凹部領域８４を含んでおり、この隆起部８６は、従来技術の隆起部１６と同様に、Ｍａｇｓｔａｒ自動ピッカによって自動的に係合するようになされている。カートリッジ８０の前面と左側面は、傾斜したコーナ面８８で連結され、このコーナ面８８は、ケース内のテープにアクセスするための開口部、および別の開示で記載した扉９０を備える。ケースの幾何形状内のコーナ面８８の角度および位置は、従来のＭａｇｓｔａｒカートリッジの開口部と同じであり、Ｍａｇｓｔａｒ技法によるリーダ・ブロックまたはＬＴＯ技法によるリーダ・ピンと共に使用されるように適合することができる。カートリッジ８０は、扉９０の後部のケース内に収容されたリーダ・ピンを組み込んでいる。
【００１７】
やはり図１１および１２で示した本発明の主な態様によれば、カートリッジ８０の後面９２の底部分は、ＬＴＯカートリッジの幅と一致するように縮小されている。すなわち、図９で示した幅ｗ１は、カートリッジの両側面９４、９６を約１．８ｍｍだけ対称に削ることによって１０９ｍｍ±０．３２ｍｍから１０５．４ｍｍ±０．３０ｍｍに縮小され、それによってカートリッジの後面９２から距離約１９．０ｍｍ延びる、両側面内の平行の凹面９８が設けられる。この距離は、規格Ｍａｇｓｔａｒカートリッジ（図１を参照）内の位置決め用切欠き３０の前縁部の位置に一致する。この距離は、規格ＬＴＯカートリッジの後面（図５を参照）に対する把持用切欠き４２の前縁部の位置にも一致するため、この一致を有利に利用して、カートリッジの両側にある凹面９８内の同じ位置に把持用切欠き１００を設けることによって、本発明のカートリッジ８０をＬＴＯの把持用切欠きの規格と一致させることができる。具体的には、各把持用切欠き１００は、深さが少なくとも４．７５ｍｍ、カートリッジの底面１０４からの高さが少なくとも８．７０ｍｍ、幅が６．００ｍｍ±０．２５ｍｍでカートリッジ８０の後面９２から約１４ｍｍから約２０ｍｍまで延びている。したがって、カートリッジ８０は、従来のＬＴＯ自動ピッカ（図８を参照）の把持アーム５２のフィンガ５８によって係合されるようになされている。
【００１８】
カートリッジ８０の両側にある凹面９８は、元のＭａｇｓｔａｒフォーマットの上面の幅を保持して規格Ｍａｇｓｔａｒ駆動機構のローラに連続した接触面を提供する必要があるため、カートリッジの底部分に制限されることを留意されたい。したがって、現在のＬＴＯ自動ピッカの把持アーム５２が凹面９８の高さよりも高い程度に、凹面９８を把持アームの寸法と一致するサイズまで縮小しなければならない。本発明のカートリッジ８０との完全な互換性には他の変更は必要ではない。
【００１９】
図１３の底面図でよりよく示してあるように、Ｍａｇｓｔａｒフォーマットの傾斜面１２は、本発明のカートリッジ８０に保持されている。好ましくは、後面９２内の傾斜面１２を縮小して、後面の全幅よりも短い幅ｗ２にわたって延びるようにして、コーナ縁部で実質的に完全な高さの後面を両側面に提供するようになされている。したがって、得られた凹面９８は、（規格Ｍａｇｓｔａｒフォーマットでのように）傾斜面１２が側面９４、９６まで全面的に延びる場合よりも大きくなり、それによって凹面９８と把持アーム５２の間の接触が、最良の把持性能のために最大になる。ｗ２がＭａｇｓｔａｒ自動ピッカ（図４を参照）の下部把持アーム２２の幅を収容できるように十分大きくなっている限り、傾斜面１２は、Ｍａｇｓｔａｒカートリッジの把持部の係合特性を維持することができる。したがって、本発明のカートリッジ８０は、ＭａｇｓｔａｒまたはＬＴＯの従来のピッカによって有利に係合することができる。傾斜面の幅ｗ２が少なくとも６７ｍｍであることは、本発明を実施するのに適しており、約７７ｍｍが好ましいことが判明した。ベゼル付き（bezeled）コーナ面１０２を設けて、カートリッジ８０のＬＴＯ自動ピッカの把持アーム５２による最初の係合を容易にすることができる。
【００２０】
ＬＴＯ駆動技法との互換性を提供するものである本発明の他に態様によれば、カートリッジ８０の底面１０４（図１３）も位置決め用切欠き６０および６２と嵌合して、従来のＬＴＯ駆動機構の対応する位置決め用ピンと係合する。こうした位置決め用切欠きは、ＬＴＯカートリッジと同じ幾何形状を持ち、互いに、かつカートリッジ８０の前面１０６に対して同様に位置付けられて、駆動機構内の規格位置決め基準ピンを使用して、本発明のカートリッジを位置付けることができる。したがって、位置決め用切欠き６０は概ね正方形の穴であり、深さが少なくとも５ｍｍ、側部が３．００ｍｍ±０．０８ｍｍ、穴の中心がカートリッジの前面から２０．５０ｍｍ±０．２０ｍｍのところにある。位置決め用切欠き６２は、概ね楕円形であり、深さが少なくとも５ｍｍ、カートリッジの前面に平行の大きい方のアパーチャの寸法が少なくとも４．８ｍｍ、小さい方の寸法が３．００ｍｍ±０．０８ｍｍ、アパーチャの中心がカートリッジの前面から２０．５０ｍｍ±０．２０ｍｍのところにあり、位置決め用切欠き６０の中心から８６．１５ｍｍ±０．２５ｍｍである。切欠き６０、６２は、好ましくは、それぞれ左側面９４から約１３．２５ｍｍ、右側面９６から約９．６０ｍｍに位置し、それによって、対応する切欠きがＬＴＯカートリッジの側面に有する凹面９８に対して同じ幾何学的関係に位置するように、切欠き６０、６２を位置付ける。
【００２１】
図１４の正面図でさらにはっきりと見ることができるように、カートリッジの駆動機構内での最初の位置合せのために、ＬＴＯフォーマットの同じＶ形切欠き６８も設けられている。やはりＶ形切欠き６８は、深さが少なくとも８．９０ｍｍで、カートリッジの前面から約５．０５ｍｍのところを中心とする最大半径１．５０ｍｍの丸形底部を有し、切欠き６８のＶ形側部は、その底部からカートリッジの前面に向かって角度６０°±１°で対称に延びる。切欠き６８の位置決め用切欠き６０および６２に対する位置は、ＬＴＯカートリッジと同様に正確に維持される。すなわち、その丸形底部の中心は、（右側部９６から約１３．８０ｍｍの）切欠き６２の中心よりもカートリッジの右側から約４．２０ｍｍ離れている。
【００２２】
好ましくは、切欠き６０、６２、６８に対するハブ３６の相対位置を維持することによって、本発明のカートリッジ８０はＬＴＯ駆動技法と完全に互換性を持つようになる。すなわち、ハブ３６の中心の窓は、カートリッジの前面から約５１．００ｍｍ、左側面から約５５．７０ｍｍに位置する。唯一の追加の要件は、従来のＬＴＯ駆動機構の受けスロットに変更を加えて、本発明の比較的大きいＭａｇｓｔａｒサイズのカートリッジ８０を収容できるようにすることである。例えば、スロットの幅を、ＭａｇｓｔａｒカートリッジとＬＴＯカートリッジの幅の差である約３．６ｍｍだけ拡大する必要がある。
【００２３】
上述のように、本発明のカートリッジ８０は、従来のＭａｇｓｔａｒカートリッジと実質的に同じサイズおよび形状であるため、（図１で示したように）規格Ｍａｇｓｔａｒ技法によるリーダ・ブロック・アセンブリと組み合わせることができる。その実施では、カートリッジは現在当技術分野で使用されているＭａｇｓｔａｒ装置と完全に互換性がある。あるいは、（例えば欧州特許出願第ＥＰ０９２４７０１号、第ＥＰ０９２４７０２号、第ＥＰ０９２４７０３号、第ＥＰ０９２６６７５号、および第ＥＰ０９２６６７６号で記載されているように）カートリッジ８０を従来のＬＴＯ技法によるリーダ・ピン・アセンブリと組み合わせることができる。図１７および１８は、こうした実施形態１１０を示しており、従来のリーダ・ピン・アセンブリが本発明のカートリッジ内に組み込まれている。この図は、開放位置にある扉９０、および従来のＬＴＯテープドライブ技法で係合するためのアクセス可能なピン１１２を備えたカートリッジを示す。
【００２４】
この図は、従来のＭａｇｓｔａｒまたはＬＴＯ装置あるいはその両方に軽微な変更を加えて本発明のカートリッジの性能を向上させるために、本発明のカートリッジで実施することができる追加のあまり重要でない特徴を示すものである。例えば、保持用切欠き１１４をカートリッジの右側面９６の上部に設けて、ライブラリ・セルに組み込むことができる対応するばね式ピンの定着部を提供することができる。同様に、係止用切欠き１１６（図１３でさらに良く見ることができる）を両側面の底部分内に設けて、未来型のテープ駆動機構に組み込むことができる対応する係止ピンによって係合することができる。
【００２５】
したがって、ＭａｇｓｔａｒまたはＬＴＯ自動ピッカおよびライブラリ・システムで使用することができる、新規の設計の磁気テープ・カートリッジを提供する。従来のリーダ・ブロックが装備されている場合、本発明のカートリッジは、従来のＭａｇｓｔａｒ駆動機構で使用するのに適している。リーダ・ピンが装備されている場合、本発明のカートリッジはより大きい寸法のカートリッジを収容するために軽微な変更を加えてＬＴＯ駆動機構で使用するのに適している。
【００２６】
本明細書で示し、頭記の特許請求の範囲で定義した本発明の原理および範囲内で、当業者は、記載した詳細、ステップ、および構成部品に様々な変更を加えることができる。例えば、カートリッジのスタッキング機能、書込み禁止機能、ラベル付け機能などを本発明のカートリッジに加えて、それぞれリーダ・ブロックまたはリーダ・ピンのどちらが使用されているかに応じて、ＭａｇｓｔａｒまたはＬＴＯフォーマットに一致させることができる。
【図面の簡単な説明】
【００２７】
【図１】Ｍａｇｓｔａｒフォーマットの従来のカートリッジを示す斜視図である。
【図２】図１のカートリッジの底面を示す平面図である。
【図３】カートリッジの後面の底部の傾斜面を示す図１のカートリッジの側面図である。
【図４】Ｍａｇｓｔａｒカートリッジ・システムの従来の自動ピッカ・アセンブリを示す斜視図である。
【図５】ＬＴＯフォーマットの従来のカートリッジを示す斜視図である。
【図６】図５のカートリッジの底面を示す平面図である。
【図７】図５のカートリッジを示す側面図である。
【図８】ピッカの把持アームによってしっかりつかまれたカートリッジを示す、ＬＴＯカートリッジ・システムの従来の自動ピッカ・アセンブリを示す斜視図である。
【図９】本発明によるカートリッジを示す背面斜視図である。
【図１０】図９のカートリッジを示す正面斜視図である。
【図１１】図９のカートリッジを示す左側面図である。
【図１２】図９のカートリッジを示す背面図である。
【図１３】図９のカートリッジの底面を示す平面図である。
【図１４】図９のカートリッジを示す正面図である。
【図１５】図９のカートリッジの上面を示す平面図である
【図１６】図９のカートリッジを示す右側面図である。
【図１７】カートリッジに組み込まれたリーダ・ピン・アセンブリを示す、図９のカートリッジを示す正面斜視図である。
【図１８】図１７のカートリッジを示す左側面図である。
【図１】
2005518625.tif 000003
【図２】
2005518625.tif 000004
【図３】
2005518625.tif 000005
【図４】
2005518625.tif 000006
【図５】
2005518625.tif 000007
【図６】
2005518625.tif 000008
【図７】
2005518625.tif 000009
【図８】
2005518625.tif 000010
【図９】
2005518625.tif 000011
【図１０】
2005518625.tif 000012
【図１１】
2005518625.tif 000013
【図１２】
2005518625.tif 000014
【図１３】
2005518625.tif 000015
【図１４】
2005518625.tif 000016
【図１５】
2005518625.tif 000017
【図１６】
2005518625.tif 000018
【図１７】
2005518625.tif 000019
【図１８】
2005518625.tif 000020
【国際調査報告】
2005518625.tif 000021
2005518625.tif 000022
2005518625.tif 000023